(57)【要約】  治療用化合物に対する医療上及び獣医学上の光照射は、ユーザーの組織に対して治療用溶液を保持するのに適している溶液リテーナ；光ファイバーケーブル；当該光ファイバーケーブルに連結し、所定波長の光を当該光ファイバーケーブルに提供する光源；及び、当該光を当該治療用溶液に照射する当該光ファイバーケーブルの光終端、を備える。製剤は、酸化剤；初期の治療的効果を有する治療用溶液；及び、酸化剤と相乗反応することにより当該溶液の当該初期の治療的効果を強化する所定波長の光、を備える。【選択図】図１
2018501829.tif 000002
【特許請求の範囲】
【請求項１】
ユーザーの組織に対する治療用溶液を保持するのに適している溶液リテーナ、
光ファイバーケーブル、
前記光ファイバーケーブルに連結し、所定波長の光を前記光ファイバーケーブルに提供する光源、及び
前記治療用溶液に前記光を照射する光ファイバーケーブル上の光終端、
を備える装置。
【請求項２】
前記溶液は、初期の微生物有効性を有し、
前記光は、前記治療用溶液と相乗反応することにより、前記治療用溶液の抗菌効果を強化する、請求項１に記載の装置。
【請求項３】
前記溶液は、初期の微生物有効性を有し、
前記光は、前記治療用溶液と相乗反応することにより、前記溶液の抗菌効果を強化する、請求項１に記載の装置。
【請求項４】
前記治療用溶液は過酸化水素であり、
前記光は、前記治療用溶液の抗菌効果を強化する相乗反応をもたらす、請求項１に記載の装置。
【請求項５】
前記治療用溶液はキャリアーと結合される酸化剤であり、
前記光は、前記治療用溶液のニキビ治療効果を強化する相乗反応をもたらす、請求項１に記載の装置。
【請求項６】
前記治療用溶液は抗新生物薬であり、
前記光は、前記治療用溶液の抗癌効果を強化する相乗反応をもたらす、請求項１に記載の装置。
【請求項７】
アプリケーションの間、前記治療用溶液を温めるために、前記溶液リテーナの内部を巻回する加熱要素を更に備える、請求項１の装置。
【請求項８】
所定波長の前記光を提供する外部光源；
前記光源を前記光ファイバーケーブルと光学的に連結する光ファイバー連結ケーブル；及び
前記光源が着脱可能なように、前記光ファイバー連結ケーブルの上でプラグとかみ合う前記溶液リテーナのソケット、を更に備える、請求項１の装置。
【請求項９】
前記溶液リテーナは、歯科用トレイの側の空洞で治療用溶液を保持する前記歯科用トレイを備え；
前記光ファイバーケーブルは、前記トレイ内で保持され；
前記組織は、前記ユーザーの歯であり；
前記トレイは、光照射された前記治療用溶液を歯に対して保持するように形づくられ；
前記装置は、前記光ファイバーケーブルから前記治療用溶液に光を出射する前記光ファイバーケーブル上の複数の光終端を更に含み、少なくとも１つの光終端が、各々の歯の２つの両側の各々に隣接するように、前記光終端は配置され、十分な量である、請求項１に記載の装置。
【請求項１０】
前記光ファイバーケーブルは、前記光が前記光ファイバーケーブルの側に向けられるように、一部の発光中心コアだけをカバーする外側シールドと、前記発光中心コアとを備える、請求項１に記載の装置。
【請求項１１】
前記溶液リテーナは、
人間用フルボディスーツ；
ミストとして前記治療用溶液を注入する注入チューブ；
ユーザーに対して前記ミストを循環させるスーツ内の領域；
スーツからミストを排出する排出チューブ；を備え、
前記光ファイバーケーブルは前記フルボディスーツの内面を包む、請求項１に記載の装置。
【請求項１２】
前記溶液リテーナは、
人間であるユーザーの腕を覆って、前記治療用溶液を提供するアーム・スリーブ；
人間であるユーザーの手又は手の一部を覆って、前記治療用溶液を提供する手袋；
人間であるユーザーの脚部又は脚部の一部を覆って、前記治療用溶液を提供する脚用ストッキング；
人間であるユーザーの１つ以上のつま先を覆って、前記治療用溶液を提供するつま先キャップ；
人間であるユーザーの頭部を覆って、前記治療用溶液を提供するヘルメット；及び
動物の背中、後ろ、肩、側部、及び、後部を覆うように形づくられていて、前記動物のまわりで閉じられるブランケットを取り外し可能に固定するための固定要素を具備するストラップを更に備えるブランケット、からなるグループから選ばれる衣服から成る、請求項１に記載の装置。
【請求項１３】
前記溶液リテーナは、
カテーテル・チューブの第１の端部において前記治療用溶液を受け取る前記カテーテル・チューブ；及び
前記ユーザーに前記治療用溶液を分配するための、前記第１の端部の反対側の前記カテーテル・チューブの第２の端部の近くのカテーテル・チューブ内のメッシュ；を備え、
前記光終端は、前記メッシュの近くの光ファイバーケーブル上に配置されている、請求項１に記載の装置。
【請求項１４】
酸化剤を含む溶液；
初期の治療的効果を有する治療用溶液；及び
酸化剤と相乗反応することにより前記溶液の初期の治療的効果を強化する所定波長の光、から成る、製剤。
【請求項１５】
前記治療用溶液は、酸化剤と結合される目標化学物質を含み、結合溶液は、前記治療用溶液の抗菌効果、抗ウイルス効果、抗新生物効果を強化する光と相乗反応し；
前記目標化学物質は、
抗菌性の、殺菌性の、又は、消毒性の化合物；
クロルヘキシジンを含む抗菌化合物；
インデン派生物を含む非ステロイド性の抗炎症性化合物；
ヨウ素化合物；
腫瘍壊死因子（Tumor Necrosis Factor）；
プロテアーゼ、ペクチナーゼ、又は、エラスターゼ化合物；
シプロフロキサシン；
鎮痙薬；及び
メチレンクロライド（methylene bicloride）、からなるグループから選ばれる、請求項１４に記載の製剤。
【発明の詳細な説明】
【背景技術】
【０００１】
関連出願
本出願は、２０１４年７月１８日に出願された米国特許出願番号第６２／０２６，４９８号（Ｐ６７９−１０４）の出願日の利益を主張し、その全てが参照によってここに取り込まれ、２０１４年９月２４日に出願された米国特許出願番号第１４／４９７，２６９号（Ｐ６７９−１０４Ａ）の出願日の利益を主張し、その全てが参照によってここに取り込まれ；２０１４年１１月９日に出願された米国特許出願番号第１４／５３６，６３３号（Ｐ６７９−１０４Ｂ）の出願日の利益を主張し、その全てが参照によってここに取り込まれ；２０１４年１２月２６日に出願された米国特許出願番号第１４／５８３，５８０号（Ｐ６７９−１０４Ｃ）の出願日の利益を主張し、その全てが参照によってここに取り込まれ、２０１５年２月２４日に出願された米国特許出願番号第１４／６３０，５１３号（Ｐ６７９−１０４Ｅ）の出願日の利益を主張し、その全てが参照によってここに取り込まれ；２０１５年３月４日に出願された米国特許出願番号第１４／６３８，９０２号（Ｐ６７９−１０４Ｆ）の出願日の利益を主張し、その全てが参照によってここに取り込まれ；２０１５年４月２７日に出願された米国特許出願番号第１４／６９７，５７９号（Ｐ６７９−１０４Ｄ）の出願日の利益を主張し、その全てが参照によってここに取り込まれる。
【０００２】
本発明は、光による化学的効果の強化を含む治療、特に、抗菌及び抗新生物溶液を含む抗菌及び抗新生物化学物質に対する医療上及び獣医学上の光照射に一般に関する。
【０００３】
人間及び動物の生きた組織において害又は病気を引き起こす微生物が存在する。
ガンのような腫瘍又は新生物（neoplast）も、人間と動物の組織に、害を引き起こす。
【０００４】
特定の波長の光は、特定の医薬、又は、抗菌物質、抗新生物薬（抗悪性腫瘍薬（antineoplastic Ａｇent））等の目標化学物質の作用を改善、又は、「増大（super charge）」することが示された。そして、微生物又は新生物（悪性腫瘍）の成長（neoplastic growth）を破壊又は阻害する相乗効果を生成した。
【発明の概要】
【発明が解決しようとする課題】
【０００５】
微生物又は腫瘍の成長を破壊又は阻害するために相乗効果が生成されるように、特定の波長の光が特定の抗菌薬又は抗新生物薬（抗悪性腫瘍薬）又は両方に照射されることが望ましい。
【課題を解決するための手段】
【０００６】
本発明の１つの側面では、装置は、ユーザーの組織に対して治療用溶液を保持するのに適している溶液リテーナ；光ファイバーケーブル；前記光ファイバーケーブルに連結し、所定波長の光を当該光ファイバーケーブルに提供する光源；及び、前記治療用溶液に前記光を照射する前記光ファイバーケーブルの光終端、を備える。
【０００７】
本発明のもう１つの側面では、製剤は、酸化剤を含む溶液；初期の治療的効果を有する治療用溶液；及び、前記酸化剤と相乗反応することにより前記溶液の前記初期の治療的効果を強化する所定波長の光、を備える。
【図面の簡単な説明】
【０００８】
【図１】図１は、本発明に係る歯科用装着具の一実施形態を示す。
【図２】図２は、本発明に係る容器の一実施形態を示す。
【図３】図３は、本発明に係るボウルの一実施形態を示す。
【図４】図４は、本発明に係るフルボディスーツの一実施形態を示す。
【図５Ａ】図５Ａは、本発明に係る衣服の一実施形態を示す。
【図５Ｂ】図５Ｂは、本発明に係る衣服の一実施形態を示す。
【図５Ｃ】図５Ｃは、本発明に係る衣服の一実施形態を示す。
【図５Ｄ】図５Ｄは、本発明に係る衣服の一実施形態を示す。
【図５Ｅ】図５Ｅは、本発明に係る衣服の一実施形態を示す。
【図６】図６は、本発明に係るヘルメットの一実施形態を示す。
【図７】図７は、本発明に係るカテーテルの一実施形態を示す。
【図８】図８は、本発明に係るブランケットの一実施形態を示す。
【図９Ａ】図９Ａは、本発明に係る動物用カバーの一実施形態を示す。
【図９Ｂ】図９Ｂは、本発明に係る動物用カバーの一実施形態を示す。
【図９Ｃ】図９Ｃは、本発明に係る動物用カバーの一実施形態を示す。
【発明を実施するための形態】
【０００９】
産業上利用可能性を有し、現在知られている発明を実施する最良の実施形態を含む、好ましい実施形態と他の実施形態は、図面を参照してここに詳述される。更なる実施形態、特徴、及び、利点は、以下の説明から明らかになり、又は、過度の実験をすることなく学ばれる。特に示す場合を除き、図面はスケール通りに描かれているわけではない。たとえ「本発明」又は実施形態がそうで「ある」との文言が用いられていたとしても、実施形態の以下の説明は、限定的に解釈されるものではなく、発明を製造し使用する態様及び方法を記載する。この特許の範囲は、請求項において記述される。請求項においてリストされるステップの順番で、当該ステップが実行されなければならないことを必ずしも示すというわけではない。２つの要素手段の間の「及び/又は」という文言は、第１の要素のみ、第２の要素のみ、又は、両方の要素を意味する。
【００１０】
本発明の実施形態は、概して、治療用化合物に対する医療上及び獣医学上の光照射のための、装置と治療用溶液とを提供する。
【００１１】
本発明の実施形態は、概して、薬に対する所定の波長の光照射によって強化される効果を有する薬を提供する。
【００１２】
本発明の実施形態は、組織と溶液とが特定の波長の光に同時に照射されるように、組織（例えば、肉体（flesh）、歯、又は、動物の肉体（flesh））と接触するように溶液を保持する装置を提供してもよい。この装置は、光の特定の波長を用いて、抗菌溶液の効果を増大する構成要素を備えていてもよい。抗菌物質、抗新生物薬、又は、他の治療用溶液は、所定時刻において光活性化されてもよいし、されなくてもよい。光が点灯されているとき、治療用溶液は光によって「増大される（supercharged）」。この相乗効果は、溶液それだけで作用する場合よりも、多くの微生物を排除する、又は、減少させる。
【００１３】
組織と溶液とが特定の波長の光に同時に照射されるように、治療用溶液の実施形態は、組織（例えば、人間又は動物の肉体（flesh））とするように酸化剤、抗菌物質又は抗新生物薬を保持してもよい。実施形態は、光の特定の波長を用いて、抗菌、抗ウイルス、抗新生物溶液の効果を増大する構成要素を備えていてもよい。光が溶液に照射されるとき、溶液は光によって「増大される（supercharged）」。この相乗効果は、溶液それだけで作用する場合よりも、多くの微生物又は腫瘍を排除する、又は、減少させる。このことは、直接光源からの、又は、歯科用トレイ又は他のトレイ又は容器（マスク、包帯、馬用ブランケット又は動物カバー）と連結された光源からの光を含む様々な手段、又は、治療のために抗菌物質又は抗新生物化学物質を提供する装置、によって達成されてもよい。
【００１４】
生きた組織において害又は病気を引き起こす微生物が存在する。特定の波長の光を組織に隣接して特定の治療剤を保持する器具に照射することによって、微生物又は新生物の成長を破壊又は阻害する相乗効果が生成され得る。例えば、口腔において、当該器具は、歯又は歯茎をカバーするように設計されたトレイであり得る。このトレイは、特定の波長の光を出射し、当該光は、トレイ内の特定の抗菌物質及び／又は抗新生物溶液と組み合わせられるとき、相乗的な抗菌及び／又は抗新生物効果を引き起こす。当該光は、例えば、発光ダイオード（ＬＥＤ）又はレーザーから生成されてもよい。光ファイバー連結ケーブルを備え、更に、光ファイバー連結インターフェース又はプラグを備え得る溶液保持器具内において、外部光源は、光ファイバーケーブルに連結していてもよい。
【００１５】
本発明の実施形態は、病気を治療するもう１つの手段を生成してもよい。抗菌又は抗新生物溶液に特定の波長の光によって励起すること（super charging）は、溶液に、当該溶液のみの場合よりも高いパーセンテージで微生物や腫瘍組織を除去させ、又は、減少させることができる。実施形態は、特定の波長の光と抗菌及び／又は抗新生物溶液との間の相乗効果を生成でき、当該溶液が組織に提供されたとき、微生物及び／又は腫瘍組織（neoplastic tissue）を引き起こしている病気を除去し、又は、減少する。
【００１６】
本発明の実施形態は、特定の波長の光を溶液に出射する溶液保持装置又は溶媒（medium）から構成されてもよい。当該光と溶液との組合せが組織に提供されるとき、病気を引き起こす微生物及び／又は腫瘍組織を減少し、又は、除去する相乗効果が生成される。必須の構成要素は１つである。溶液保持器具２。光源３。抗菌溶液又は抗新生物溶液又は両方。
【００１７】
実施形態は、数秒から数分間の露光で、青色光を使用してもよく、又は、溶液を増大する（supercharge）、他のある所定波長の光を使用してもよい。実施形態は、０．３ｍＭの濃度、又は、抗菌、抗ウイルス、抗新生物の薬品又は化合物等の適当な溶液のいかなる濃度の、例えばジェル状の、Ｈ２０２溶液を含んでもよい。
【００１８】
実施形態において、安全のために、「熱湯消毒チャート（scalding chart）」は、３０秒未満で華氏１３０度の温水でさらすことが安全であるが、それ以上は、火傷を引き起こすことを示してもよい。華氏１２０度の温水は、最高５分まで安全である場合がある。過酸化水素（Ｈ２０２）が４００−５００ナノメートルの波長の光によって照射される場合、当該過酸化水素（Ｈ２０２）は、２０秒未満で微生物の９６％を殺すことができる。この溶液は、摂氏５７度（１３４度Ｆ）で、最も効果を奏することができる。
【００１９】
代替の実施形態は、治療用溶液を温めてさらに増大する（super-charge）、加熱要素を含んでもよい。実施形態において、装置は、加熱又は冷却要素又は両方を含んでもよい。実施形態において、抗菌溶液が相乗的な光によって照射される、又は、変化する又は変化しないｐＨにおいて用いられる前に、抗菌溶液は理想的な又は最適的な温度まで予熱されてもよい。例えば、過酸化水素は、好ましくは、２０秒未満の間、摂氏５７度（１３４度Ｆ）で、４００−５００ナノメートルの光によって照射されてもよい。他の化学物質は、異なる好ましい温度とｐＨを有していてもよい。
【００２０】
医療用又は獣医学用の装置の実施形態は、装置内の発光ケーブルに隣接して延びる、統合された又は内部の加熱要素を含んでもよい。統合された加熱要素の実施形態は、例えば容器、衣服、又は、カバーの底等の、装置の一部のみに位置してもよい。加熱要素は、例えばバッテリー又は壁面コンセント等、光源と同じ電源から、電力を得てもよい。当該装置において、連結ケーブルに沿って延びる、光ファイバー連結ケーブルによって又は電力連結ケーブルによって、電力は加熱要素に供給されてもよい。
【００２１】
加熱要素の代替の実施形態は、治療用溶液を保持する装置の部分と別であってもよい。別々の加熱要素は、溶液が装置に加えられる前に、例えば加熱トレイ又はオーブン等によって、最適温度の治療用溶液を温めてもよく、又は、例えばホットアイロン（hot iron）又はワイヤー等によって、適所において、抗菌物質や抗新生物溶液に熱を加えるのに用いられてもよい。
【００２２】
装置の実施形態は、治療用溶液に特定の波長、例えば目的を持って選ばれた波長又はＬＥＤ又はレーザーからの光の波長、の光を照射可能な発光光ファイバーケーブルを含んでもよい。カバーは、抗菌溶液を保持してもよい。実施形態は、発光光ファイバーケーブルの上に複数の光終端又は他の発光体を含んでもよい。それぞれの光終端は、光ファイバーケーブルに入り込み、終端の端から光を外へ出射し、それによって、治療用溶液に光を出射する。当該終端を加えたり、移動したりできるように、又は、個々のユーザーにフィットするように光終端の量と位置を測定可能なように、装置は調節可能であってもよい。それぞれの光終端が、例えば、扱われる組織の近い部分等、リテーナの範囲内のあらかじめ選択された位置に配置されるように、光終端は、カバーの内部、又は、表面に、位置してもよい。光ファイバーケーブルは、その長さに沿って間隔をあけられる発光体でくすんでいてもよく、その長さに沿って光を出射するために、少なくとも部分的に半透明であってもよい。ユーザーは、人間又は動物であってもよい。
【００２３】
実施形態において、光ファイバーケーブルは、光ファイバー連結ケーブルによって光源に連結されてもよい。光源を結合可能、且つ、使用後に取り外し可能なように、連結ケーブルはリテーナ又はカバーに入り込んでいてもよく、光ファイバー連結インターフェースによって光学的に光ファイバーケーブルに連結していてもよい。インターフェースの実施形態は、光ファイバーケーブルに取り付けられる光ファイバー連結ケーブルを含んでもよい。インターフェースの他の実施形態は、光源を結合可能、且つ、使用後に取り外し可能なように、連結ケーブルの上でプラグとかみ合うソケットを含んでもよい。
【００２４】
実施形態は、光源と、抗菌及び/又は抗菌溶液と、を備える装置を含んでもよい。実施形態は、様々な人間や動物の体又は部位カバーを含んでもよい。
【００２５】
本発明の実施例は、人間、馬、又は、他の動物に治療用溶液を提供するリテーナ又はカバーを含んでもよい。リテーナは、光源に接続していてもよい。実施形態は、多数のファイバー光終端を含んでいてもよい。保持器は、加熱要素を備えていてもよい。
【００２６】
保持器の実施形態は、ユーザーの歯に対して抗菌、抗新生物、又は、他の治療用溶液を保持する歯科用トレイ；人間であるユーザーの組織に対して抗菌、抗新生物溶液を保持するのに適した医療溶液リテーナ；バケツ又は容器；ボウル；フルボディスーツ；アーム・スリーブ；手袋；脚用ストッキング；つま先キャップ；ヘルメット；カテーテル・チューブ；動物の組織に対して抗菌、抗新生物溶液を保持するのに適した医療用又は治療用溶液リテーナ；馬又は他の動物のためのブランケット；又は動物の手足又は部分のためのカバー、を含んでいてもよい。
【００２７】
実施形態は、装置の内部の表面を巻回する光ファイバーケーブルを含んでもよい。光ファイバーケーブルは、装置の中において、光ファイバーケーブルに沿って間隔をあけて配置された光終端を有していてもよい。実施形態は、装置の内部に加熱要素を含んでもよい。加熱要素は、装置において、光ファイバーケーブルに隣接して延びる加熱ワイヤーを含んでもよい。光ファイバーケーブルは、光源に連結ケーブルによって連結してもよい。接続インターフェース又はプラグは、外部光源を装置と連結してもよく、連結しなくてもよい。加熱要素は、同じ光源連結ケーブルによって、又は、別々の電力連結ケーブルによって、光源から電力を受け取ってもよい。スイッチによって、光源、加熱電源（heating power）、又は、両者と接続されてもよく、又は、オン又はオフが切り替えられてもよい。
【００２８】
実施形態を実施するために、治療者は、治療用溶液を装置の内部に提供して、治療を受ける人間又は動物に当該装置を与えてもよい。治療者は、ヒーター又は光源又は両者を点けてもよい。
【００２９】
治療用溶液の実施形態は、人間又は動物の皮膚と接触する、抗菌、抗ウイルス、抗新生物化合物を含んでもよい。この溶液は、液体、ジェル、ミスト、クリーム又は他の適切な形態であってもよい。溶液は、装置によって加熱されてもよく、加熱されなくてもよい。実施形態は、溶液のｐＨを調節する化合物を含んでいてもよく、含まなくてもよい。
【００３０】
実施形態は、４００−５００ｎＭ等である特定の波長の光を出射する光源を含んでもよい。当該光源は、手動（hand help）であってもよい。光源は、治療用溶液と接触していてもよく、又は、効果を有する距離の範囲内で保持又は配置されていてもよい。抗菌及び／又は抗新生物溶液と特定の波長の光との組合せは、個別の構成要素の反応の合計より大きい反応（相乗効果）を引き起こす相乗効果を生成することができる。
にきび、光線性角化症、又は、いかなる他の皮膚又は全身症状又は病気を治療するために、特定の波長の光と抗菌及び/又は抗新生物溶液との当該組合せの実施形態は、利用されてもよい。
【００３１】
提供される際、治療用化学物質の効果を強化する相乗効果を生成する光の波長によって、抗菌物質、抗ウイルス剤、抗新生物薬又は他の治療用化学物質は照射されてもよい。当該相乗効果は、治療用溶液のみ又は光のみの使用より、ガンを伴うバクテリア又は腫瘍と関連したバクテリアの大幅な縮小を引き起こす。
【００３２】
実施形態において、化学物質は貯留容器なしで用いられてもよい。化学物質は、直接体腔に挿入されてもよく、複数の発光ファイバーを有する光ファイバーの棒状部材（wand）によって光を照射されてもよい。キャリアー又は貯留容器の実施形態は、溶液自体又はジェルであってもよい。このジェルはカテーテルで体腔に挿入されてもよく、同じカテーテル又は異なるカテーテルで相乗的な光が照射されてもよい。搬送装置は、貯留容器、包帯、ゲル類、溶液、ヘッドカバー、動物用カバー、巻くもの（wrap）、靴下、ストッキング、帽子、ヘルメット、ミスト、スーツ、テント、プローブ、又は、カテーテルを含むが、これに限定されるものではない。
【００３３】
過酸化水素（Ｈ２０２）は、酸化剤又は還元剤でありえる。Ｈ２０２が酸化剤として用いられるとき、酸素は還元されてＨ２０になる。Ｈ２０２が還元剤として用いられるとき、酸素は参加されて０２となり、泡が観察される。抗菌効果、抗新生物効果及び／又は抗ウイルス効果を提供する酸化剤又は還元剤として、本発明の実施形態は、Ｈ２０２とＨ２０２の製剤を利用してもよい。製剤又は薬は、Ｈ２０２を含む場合、「酸化剤」を含む。
【００３４】
ある波長の光を含む多数の成分、及び、単独の又は組み合わさた多数の化学物質からなる薬の実施形態は、微生物及び／又はウイルス及び／又は新生物の成長を阻害させ、遅延させ、及び／又は、停止させる。薬は、抗菌及び/又は抗ウイルス及び/又は抗新生物化学物質に、生体内におけるその化学的及び機能的プロフィールに関して、似ていてもよい。薬は、その成分の１つとして、光を有していてもよい。それは、人間及び他の動物における抗菌及び/又は抗ウイルス及び／又は抗新生物の効果を、臨床的に定められた服用で、確実に生産する。それは、以下の化学物質の少なくとも１つ以上を含む、特定の波長の光に指定される；Ｈ２０２、ラウリン酸（lauric acid）、ドデカン酸（dodecanoic acid）、局所抗生物質（topical antibiotics）、局所麻酔薬（topical anesthetics）、ニコチン酸（nicotinic acid）、ニコチンアミド（nicotinamide）、リン酸クリンダマイシン（clindamycin phosphate）のような抗菌物質（antimicrobial）、メチル７−クロロ−６、７、８−三デオキシ−６−（１−メチル−トランス−４−プロピル−Ｌ−２−ピロリジンカルボキサミド）−１−チオ−Ｌ−スレオ−α−Ｄ−ガラクト−オクトピラノシド２−（二水素リン酸塩）（Methyl 7-chloro-6,7,8-trideoxy-6-(l-methyl-trans-4-propyl-L-2-pyrrolidinecarboxamido)-l-thio-L-threo-α-D-galacto-octopyranoside 2-(dihydrogen phosphate)）、サリチル酸（salicylic acid）、硫黄（sulfur）、６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）、アルファヒドロキシ酸（Alpha Hydroxy acid）、トレチノイン（tretinoin）、ホウ砂（borax）、カプリル酸（caprylic acid）、カプリン酸（capric acid）、ミリスチン酸（myristic acid）、及び、上記方法に役立つ添加化学物質。
【００３５】
本発明の剤形は、ある波長の光と以下の化学物質の１つ以上からなる化合物からなってもよい: Ｈ２０２、ラウリン酸（lauric acid）、ドデカン酸（dodecanoic acid）、局所抗生物質（topical antibiotics）、局所麻酔薬（topical anesthetics）、ニコチン酸（nicotinic acid）、ニコチンアミド（nicotinamide）、リン酸クリンダマイシン（clindamycin phosphate）のような抗菌物質（antimicrobial）、メチル７−クロロ−６、７、８−三デオキシ−６−（１−メチル−トランス−４−プロピル−Ｌ−２−ピロリジンカルボキサミド）−１−チオ−Ｌ−スレオ−α−Ｄ−ガラクト−オクトピラノシド２−（二水素リン酸塩）（Methyl 7-chloro-6,7,8-trideoxy-6-(l-methyl-trans-4-propyl-L-2-pyrrolidinecarboxamido)-l-thio-L-threo-α-D-galacto-octopyranoside 2-(dihydrogen phosphate)）、サリチル酸（salicylic acid）、硫黄（sulfur）、６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）、アルファヒドロキシ酸（Alpha Hydroxy acid）、トレチノイン（tretinoin）、ホウ砂（borax）、カプリル酸（caprylic acid）、カプリン酸（capric acid）、ミリスチン酸（myristic acid）、及び、薬理学的に許容されるキャリアーを含む上記方法に役立つ添加化学物質。
【００３６】
目標化学物質の実施形態は、抗菌性の、殺菌性の、又は、消毒性の化合物の１つ以上を含んでいてもよい。抗菌物質の実施形態は、クロルヘキシジン化合物（chlorhexidine compound）を含んでもよい。目標化学物質の実施形態は、例えばインデン派生物（indene derivative）等の非ステロイド性の抗炎症性化合物（anti-inflammatory compound）を含んでもよい。目標化学物質の実施形態は、ヨウ素化合物（iodine compound）を含んでもよい。目標化学物質の実施形態は、腫瘍壊死因子（Tumor Necrosis Factor）又はサイトカイン（cytokine）のＴＮＦ族（TNF family）のメンバーを含んでもよい。目標化学物質の実施形態は、銀（Ａｇ）、又は、例えばＣｕ又はＦｅ等の遷移金属のような金属を含んでもよい。目標化学物質の実施形態は、酵素を含んでもよい。酵素の実施形態は、プロテアーゼ（protease）、ペクチナーゼ（pectinase）、又は、エラスターゼ（elastase）の１つ以上を含んでもよい。目標化学物質の実施形態は、抗新生物薬を含んでもよい。目標化学物質の実施形態は、例えばシプロフロキサシン（ciprofloxacin）等の抗生物質を含んでもよい。目標化学物質の実施形態は、例えばメチレンクロライド（methylene bicloride）等の鎮痙薬を含んでもよい。
【００３７】
実施形態において、第１の反応は、例えば過酸化水素等の酸化剤と組み合わされた、例えば４００−５００ナノメートル等の特定の波長の光を含んでもよい。光プラス酸化剤は、それのみで治療であってもよい。第２の反応は、酸化剤と組み合わされ、更に相乗反応を経ている目標化学物質と組み合わされる特定の波長の光を含んでもよい。薬の実施形態は、光によって強化（light-enhanced）された治療的効果を持つ薬を提供するために、光によって強化された酸化剤と光によって強化された目標化学物質を含んでもよい。薬は、光源から光が照射される間、ユーザーと接触して保持される溶液であってもよく、又は、溶液は、提供前に、光によって強化されていてもよい。当該光は、薬又は溶液に同時に照射される２つの波長を含んでいてもよく、又は、連続して（in series）、第１の波長の光が照射され、次いで、第２の波長の光が照射されてもよい。
【００３８】
選ばれた目標化学物質は、界面活性剤（surfactant）、湿潤剤（wetting agent）、キレート試薬（chelating agent）、又は、有用な添加剤と組み合わされて用いられてもよい。医療薬の実施形態は、タブレット、錠剤、カプセル、ジェル、液体、スプレー、ミスト、クリーム、又は、ペーストの形で用いられてもよい。実施形態が、それらの有効性を調整するために、様々な温度で用いられてもよい。
【００３９】
歯科．図１は、歯の装置１０の実施形態を示す。発光光ファイバーケーブル１２は、抗菌溶液１４を、例えば目的を持って選ばれた波長又はＬＥＤ又はレーザーからの光の波長等の特定の波長の光によって照射されてもよい。トレイ１６は、抗菌溶液１４を保持してもよい。実施形態は、発光光ファイバーケーブル１２の上に、複数の光終端１８又は他の発光体を含んでもよい。それぞれの光終端１８は、光ファイバーケーブル１２に入り込み、終端１８の端から光を外へ出射し、それによって、抗菌溶液１４に光を出射する。当該終端１８を加えたり、移動したりできるように、又は、個々のユーザーにフィットするように光終端１８の量と位置を測定可能なように、装置は調節可能であってもよい。それぞれの光終端１８が、ユーザーの隣接した歯の間、又は、ユーザーの歯に隣接して配置されるように、光終端１８は、トレイ１６の内部に位置してもよい。光ファイバーケーブルは、その長さに沿って間隔をあけられる発光体でくすんでいてもよく、その長さに沿って光を出射するために、少なくとも部分的に半透明であってもよい。実施形態において、光ファイバーケーブル１２は、光ファイバー連結ケーブル２２によって、光源２０に連結されてもよい。光源２０を結合可能、且つ、使用後に取り外し可能なように、連結ケーブル２２はトレイ１６に入り込んでいてもよく、光ファイバー連結インターフェース２４によって光学的に光ファイバーケーブル１２に連結していてもよい。インターフェース２４の実施形態は、光ファイバー連結ケーブル２２を光ファイバーケーブル１２に取り付ける開口をトレイ１６の壁に含んでもよい。インターフェース２４の他の実施形態は、光源を結合可能、且つ、使用後に取り外し可能なように、トレイ１６の上に、連結ケーブル２２の上でプラグとかみ合うソケットを含んでもよい。
【００４０】
容器．図２中に示すように、医療装置３０の実施形態は、壁３４、底３６、及び、キャリーハンドル３８を備える容器３２を含んでもよい。実施形態は、壁３４の内面を包む（wraps up）光ファイバーケーブル４０を含んでもよい。光終端４２は、容器の中において、光ファイバーケーブル４０の上に配置されてもよい。加熱要素４４は、容器３２の底のまわりに位置してもよい。光ファイバーケーブル４０は、光ファイバー連結ケーブル４８によって、光源４６に連結してもよい。
【００４１】
ボウル．図３中に示すように、医療装置５０の実施形態は、ボウル５２の内部の表面５６を巻回する光ファイバーケーブル５４を有するボウル５２を含んでもよい。光ファイバーケーブル５４は、光終端５８を有してもよい。実施形態は、ベース６０を有してもよく、加熱要素６２を含んでもよい。光ファイバーケーブル５４は、光ファイバー連結ケーブル６６によって、光源６４に連結してもよい。光源６４は、オン／オフスイッチ６８又はタイマー制御６９を含んでもよい。
【００４２】
フルボディスーツ．図４中に示すように、医療装置７０の実施形態は、統合された、胴部７４、そで７６、パンツ７８、足部８０、及び、フード８２、及び、取り外し可能な手袋８４又はミトン８６を有するフルボディスーツ７２を含んでいてもよい。そで７６は、ユーザーの手首に対してぴったりするために、カフス８８を備えていてもよい。フード８２は、ユーザーの顔に対して締まるために、弾性部９０を有していてもよい。実施形態は、例えば、胴部７４の一方の肩の上に注入チューブ９２を備えていてもよく、胴部７４の他方の肩の上に排気チューブ９４を含んでもよい。実施形態は、スーツ７２の内部の組織に沿って間隔をあけて配置された光ファイバーケーブル９６を含んでもよい。光終端９８は、スーツ７２の内部において、光ファイバーケーブル９６の上に配置されてもよい。加熱要素は、スーツ７２の生地内に埋められてもよい。光ファイバーケーブル９６又は加熱要素又は両方は、光ファイバー連結ケーブルによって光源に連結されてもよい。
【００４３】
衣服．図５Ａ、５Ｂ、５Ｃ、５Ｄ及び５Ｅは、衣服を着用しているユーザーに、光によって強化された抗菌溶液を運ぶ、当該衣服を備える医療装置の実施形態を示す。図５Ａは、アーム・スリーブ１２２の実施形態を示す。図５Ｂは、手袋１２４の実施形態を示す。図５Ｃは、つま先キャップ１２６の実施形態を示す。図５Ｄは、つま先カバー１２８、又は、つま先のないカバー１３０を有する太腿丈の靴下の実施形態を示す。図５Ｅは、ウエスト・バンド１３４を有する１フィートの靴下１３２の実施形態を示す。
【００４４】
ヘルメット．図６中に示すように、医療装置１４０の実施形態は、ヘルメット１４２の内部の表面１４６を巻回する光ファイバーケーブル１４４を有する、ヘルメット１４２を含んでもよい。光ファイバーケーブル１４４は、光終端１４８を有してもよい。実施形態は、ワイヤーをヘルメットの裏に含む加熱要素１５０を含んでもよい。光ファイバーケーブル１４４は、光ファイバー連結ケーブル１５４によって、光源１５２に連結してもよい。
【００４５】
カテーテル．図７中に示すように、医療装置１６０の実施形態は、１つ以上の光終端１７０があるカテーテル・チューブ１６４、メッシュ・ディスペンサー・スクリーン１６６、及び、光ファイバーケーブル１６８を備えるカテーテル１６２を含んでもよい。加熱要素１７２は、カテーテル・チューブ１６４の外部にあってもよく、注入チューブ１７６によって温められた抗菌溶液174を提供してもよい。光源１７８は、光ファイバー連結インターフェース１８２とともに、光ファイバー連結ケーブル１８０によって光ファイバーケーブル１６８に連結されてもよい。
【００４６】
馬用ブランケット．図８中に示すように、馬用のフルブランケット２００の実施形態は、カバー部２０２、首部２０４、及び、足上部２０６を含んでもよい。ブランケット２００は、カバーを閉じた状態で保持するために、ひも２０８を含んでもよい。ブランケット２００の内側は、抗菌溶液又はジェルで被覆されていてもよい。実施形態は、カバー部２０２で内部の表面を巻回する光ファイバーケーブル２１０を含んでもよい。実施形態は、加熱要素２１２を含んでもよく、加熱ワイヤーをカバー部２０２に含んでもよい。実施形態は、光ファイバーケーブル２１０を光源２１６に連結する連結インターフェース２１４を含んでもよい。光終端２１８は、ブランケット２００の内部において、光ファイバーケーブル２１０の上に配置されてもよい。光源２１６は、オン/オフスイッチ２２０又はタイマー制御を有してもよい。
【００４７】
動物用カバー．図９Ａ、９Ｂ及び９Ｃの実施形態において示すように、動物用カバー２３０は、柔らかいプラスチックのシート２３２と、当該シート２３２の一端における取付機構２３４と、を備えてもよい。カバー２３０は動物の首の回りをくるみ、シート２３２の一端上の取付機構２３４は、ループを形成するようにシート２３２の反対側に取り付けられてもよい。実施形態は、カバー２３０が動物又は他の物にすれる上側及び底側において、柔らかい布製のトリム２３６を備えてもよい。カバー２３０は、内側において抗菌溶液又はジェルで被覆されていてもよい。実施形態は、シート２３２において、内部の表面を巻回する光ファイバーケーブル２３８を備えてもよい。実施形態は、加熱カバー内にワイヤーを備える加熱要素２４０を含んでもよい。実施形態は、光ファイバーケーブル２３８を光源２４２に接続する接続インターフェース２２８を備えてもよい。光終端２４４は、ブランケット内部において、光ファイバーケーブル２３８上に配置されてもよい。光源２４２は、オン/オフスイッチ２４６又はタイマー制御を有してもよい。
【００４８】
尋常性ざ瘡（acne vulgaris）（「にきび（acne）」）を治療する方法の実施形態は、局所抗生物質（topical antibiotic）、局所麻酔薬（topical anesthetics）、ニコチン酸（nicotinic acid）、ニコチンアミド（nicotinamide）、リン酸クリンダマイシン（clindamycin phosphate）のような抗菌物質（antimicrobial）、メチル７−クロロ−６、７、８−三デオキシ−６−（１−メチル−トランス−４−プロピル−Ｌ−２−ピロリジンカルボキサミド）−１−チオ−Ｌ−スレオ−α−Ｄ−ガラクト−オクトピラノシド２−（二水素リン酸塩）（Methyl 7-chloro-6,7,8-trideoxy-6-(l-methyl-trans-4-propyl-L-2-pyrrolidinecarboxamido)-l-thio-L-threo-α-D-galacto-octopyranoside 2-(dihydrogen phosphate)）から成る、１つ以上の他の抗菌物質又は他の化学物質と組み合わされて用いられる、特定の波長範囲の光を有する過酸化水素溶液を治療的に効果的な量で備えてもよい。抗菌物質の実施形態は、サリチル酸（salicylic acid）、硫黄（sulfur）、６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）、グリコール酸（glycolic acid）、トレチノイン（tretinoin）、ホウ砂（borax）、及び、上記方法に役立つ添加化学物質を含んでもよい。局所的及び全体的な治療薬の実施形態は、過酸化水素（hydrogen peroxide）、過酸化カルバミド（carbamide peroxide）、硫黄（sulfur）、６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）、グリコール酸（glycolic acid）、ホウ砂（borax）、レゾルシノール（resorcinol）、サリチル酸（salicylic acid）、過酸化ベンゾイル（benzoyl peroxide）、ビタミンＡ酸（トレチノイン）（vitamin A acid (tretinoin)）、及び、局所用及び全身用抗生物質を含み、にきびの処置のための本発明の実施形態における治療用化学物質として利用されてもよい。特定の化学薬品による様々な過酸化物化合物の組合せを含む実施形態は、にきび治療に効果的であり、にきび治療において、個別の薬剤自体による治療によって予想される効果より大きい相乗効果を有する。特定の波長の光によって照射される場合、当該相乗効果はさらにより大きな相乗効果を有する。第２の化学物質は、にきびを減らすのに有効であり、にきび処置又はにきび関連の治療において使われる要素を含むため、第２の化学物質は、治療的な化学物質又はにきび治療用化学物質となり得る。
【００４９】
例えば、研究は、過酸化水素を用いる実施形態が、２０秒間、過酸化水素にさらされたバクテリアの３０％を死滅させることを、示した。波長３６０ｎＭ−５００ｎＭの光は、２０秒間、当該光を照射されたバクテリアの３％を死滅させることができる。３６０ｎＭ−５００ｎＭの光と組み合わされた過酸化水素は、２０秒間、当該組み合わせにさらされるバクテリアの９６％を死滅させる相乗反応を示すことができる。本発明の実施形態で用いられる溶液の組成は、過酸化水素（hydrogen peroxide）及び／又は過酸化カルバミド（carbamide peroxide）及び／又は過酸化ベンゾイル（benzoyl peroxide）、及び、硫黄（sulfur）、６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）、グリコール酸（glycolic acid）、ホウ砂（borax）、レゾルシノール（resorcinol）、サリチル酸（salicylic acid）、ビタミンＡ酸（トレチノイン）（vitamin A acid (tretinoin)）、及び、局所用及び全身用抗生物質の１つ以上の組合せを含んでもよい。
【００５０】
本発明の実施形態において、過酸化水素及び／又は過酸化カルバミド及び／又は過酸化ベンゾイル及び効果的であると考えられる他の化学物質の局所用溶液は、様々な有機溶媒又はキャリアー中において送液されてもよい。キャリアーの実施形態は、活性成分がキャリアーの約０．００１容量％から約５０容量％までの範囲で存在しうる、エチルアルコールとプロピレングリコールの組合せを含んでもよい。溶液のｐＨは、溶液の効果を妨げないとともに、組織感度が最小にされるように、調節されてもよい。溶液の温度は、その効果を最適化するように調整されてもよい。
【００５１】
安全のために、及び、溶液の効果を最適化するために、「熱湯消毒チャート（scalding chart）」が提供されてもよく、用いられてもよい。当該チャートは、３０秒未満で１３０度の温水でさらすことが安全であるが、それ以上は、火傷を引き起こすことを示してもよい。１２０度の温水は、最高５分まで安全である場合がある。通常の体温より温かい溶液は、バクテリアをより大きな量の溶解にさらしている孔を開ける傾向がある。全身用抗菌薬は、当該処置の実施形態の一部として、その効果を増やすため、用いられてもよい。溶液は、１秒から１分までの所定の時間の間、有効な３６０ｎＭ−６００ｎＭの波長又は他のどの波長の光によって照射されてもよい。実施形態は、温められた溶液を含んでいてもよく、光は、本発明に特有である相乗効果を生成する。当該光は、その相乗効果を調整するために、溶液から様々な距離で用いられてもよい。
【００５２】
さらなる実施形態において、過酸化物化合物の局所用溶液は、様々な有機キャリアーの０．００１〜５０容量％で変動する濃度で、過酸化水素及び／又は過酸化カルバミド及び／又はベンゾイル過酸化物を含んでもよい。実施形態において、化合物は、以下の成分の１つ以上とともに、溶液、ローション、クリーム、ゲル類、ミスト、ペースト、及び、軟膏を含む様々な賦形剤（vehicle）又はキャリアーに取り込まれてもよい:キャリアーの０．００１容量％から３０容量％までの濃度で存在するニコチン酸（nicotinic acid）又はニコチンアミド（nicotinamide）；キャリアーの０．００１容量％から約３０容量％までの濃度で存在するエリスロマイシン・ベース（erythromycin base）；リン酸クリンダマイシン（clindamycin phosphate）；メチル７−クロロ−６、７、８−三デオキシ−６−（１−メチル−トランス−４−プロピル−Ｌ−２−ピロリジンカルボキサミド）−１−チオ−Ｌ−スレオ−α−Ｄ−ガラクト−オクトピラノシド２−（二水素リン酸塩）（Methyl 7-chloro-6,7,8-trideoxy-6-(l-methyl-trans-4-propyl-L-2-pyrrolidinecarboxamido)-l-thio-L-threo-α-D-galacto-octopyranoside 2-(dihydrogen phosphate)）。実施形態は、０．００１容量％から３０容量％までの濃度；キャリアーの０．００１容量％から３０容量％までの濃度の塩酸テトラサイクリン（tetracycline hydrochloride）；６−［３−（１−アダマンチル）−４−メトキシフェニル］ナフタレン−２−カルボン酸（6-[3-(l-adamantyl)-4-methoxy-phenyl] naphthalene-2-carboxylic acid）のようなレチノイド（retinoid）；及び、にきび治療に効果的であると考えられる他の成分を有してもよい。実施形態において、そのようなキャリアーは、過酸化カルバミドの取り込みに役立ち、エチルアルコール（ethyl alcohol）とプロピレングリコール（propylene glycol）の組合せ、ラウリル・エーテル類（lauryl ethers）及びラウリル・エステル類（lauryl esters）のような界面活性剤、及び、本発明に効果的な他のキャリアーを含んでもよい。キャリアー及び効果的成分は、にきび患者の顔又は他の感染領域に使用されてもよい。この処置は２４時間の間に１〜４回等の様々な間隔で提供されてもよく、これにより、面皰（comedone）（にきび（blackhead）及び稗粒腫（whitehead））を開閉させ、１日に処置が行われる回数によって異なるが数日から数週間の期間以内に、炎症を起こした病変は大いに減少される。
【００５３】
本発明の実施形態は、効果的な量の過酸化物治療薬のみ、又は、局所抗生物質、局所麻酔薬、ニコチン酸、ニコチンアミド、抗菌物質、サリチル酸、硫黄、レチノイド（例えば、６−［３−（１−アダマンチル）−４−メトキシフェニル］ナフタレン−２−カルボン酸（6-[3-(l-adamantyl)-4-methoxy-phenyl] naphthalene-2-carboxylic acid））、グリコール酸、トレチノイン、ホウ砂、及び、上記方法に役立つ添加化学物質の１つ以上と組み合わされる過酸化物治療薬を含む抗菌溶液の周期的に提供する、にきびの処置に、改善された方法を提供することができる。この抗菌溶液は、炎症性病気（にきび）患者に提供されてもよい。抗菌溶液は、この処置のために最適である温度に合わされてもよい。抗菌溶液は、にきび障害と関連する炎症を起こした組織の上に提供されてもよい。提供される際、抗菌溶液は、抗菌溶液の効果を強化する相乗効果を生成する波長の光によって照射されてもよい。この相乗効果は、抗菌溶液のみ又は光のみの使用より大きなにきびと関連したバクテリアの減少を引き起こすことができる。
【００５４】
溶液の実施形態は、処置において用いられる波長の光の照射される際、蛍光を出射しうる光活性化顔料（light activated pigment）を含んでもよい。当該顔料は、相乗効果が生じていることをユーザーに知らせることができる。
【００５５】
以下の具体的な実施例は、本発明を例示するものであるが、本発明を限定するものではない。
【００５６】
実施例１
ある実施態様において、ジェル・キャリアー中３％過酸化水素の溶液が準備される。１日２回、当該溶液の局所提供は、尋常性ざ瘡（acne vulgaris）を患っている患者の感染領域に行われる。塗布後、溶液は、２０秒間、波長３６０ｎＭ−５００ｎＭの光によって照射され、光のみ又は溶液のみの提供より大きい相乗効果を生成する。この光は、患者の全ての感染領域を一度に照射するＬＥＤデバイスによって提供される。それから、当該溶液はきれいな水ですすぎ落とされる。２週の当該処置の後、患者上の面皰（comedone）の総数、及び、にきび感染症から生じる炎症を起こした領域は、明らかに減少した。溶液と光との間の当該相乗効果は、本発明特有である。
【００５７】
実施例２
もう１つの実施例において、３％の過酸化水素、３％の過酸化ベンゾイル、及び、サリチル酸を含む溶液はクリーム状のキャリアー中で組み合わされる。当該溶液は、ｐＨ６に保たれる。当該クリームは、１日１回、患者のにきび感染領域に、塗布される。クリームが塗布される際、当該クリームは、１０ワット、手動（hand help）の光源（light emitting）の波長４１０ｎＭ−５００ｎＭの光によって照射され、これにより、当該光又は当該溶液が単独で作用するより大きな微生物の減少を引き起こす当該溶液と当該光の間の相乗効果をもたらす。光は、直径１５ｍｍの当該光を放射する終端を有してもよい。この特定のサイズにより、患者は小さな領域を目標とすることができる。光の照射時間は、１分である。本発明の当該実施例は、以前に進行中のにきび感染症を示した領域を維持するのに用いられてもよい。溶液と光との間の当該相乗効果は、本発明特有である。
【００５８】
実施例３
さらに別の実施例においては、１５％過酸化カルバミド、２．５％リン酸クリンダマイシン、メチル７−クロロ−６、７、８−三デオキシ−６−（１−メチル−トランス−４−プロピル−Ｌ−２−ピロリジンカルボキサミド）−１−チオ−Ｌ−スレオ−α−Ｄ−ガラクト−オクトピラノシド２−（二水素リン酸塩）を含む溶液である。実施例は、トレチノインを含んでもよく、ジェル状のキャリアー中で組み合わされる。当該キャリアー溶液は、華氏１０５度まで加熱される。感染領域に提供される際、温められた溶液は患者の孔を開けるのを助ける。当該溶液は、１日につき３回提供される。感染領域は、直径３０センチメートルの領域を照射するランプからの波長４１０ｎＭ−５００ｎＭの光によって照射される。感染領域及び溶液は、３０秒間、当該特定の波長の光によって照射される。光と温められた溶液との相乗効果は、光又は溶液が単独で作用する効果より大きい。光と温められた溶液との間の当該相乗効果は、本発明特有である。
【図１】
2018501829.tif 000003
【図２】
2018501829.tif 000004
【図３】
2018501829.tif 000005
【図４】
2018501829.tif 000006
【図５Ａ】
2018501829.tif 000007
【図５Ｂ】
2018501829.tif 000008
【図５Ｃ】
2018501829.tif 000009
【図５Ｄ】
2018501829.tif 000010
【図５Ｅ】
2018501829.tif 000011
【図６】
2018501829.tif 000012
【図７】
2018501829.tif 000013
【図８】
2018501829.tif 000014
【図９Ａ】
2018501829.tif 000015
【図９Ｂ】
2018501829.tif 000016
【図９Ｃ】
2018501829.tif 000017
【国際調査報告】
2018501829.tif 000018